(57)【特許請求の範囲】
【請求項１】
前面側に遊技球を用いた遊技を行う遊技領域が設けられた遊技盤と、
前記遊技盤を保持する枠部材と、
前記枠部材の前面側を覆って取り付けられ、前記枠部材に保持された前記遊技盤の前記遊技領域を前方から視認可能な窓部を有する扉部材と、
前記扉部材の前面側における前記窓部の下方に設けられ、遊技の演出に関する操作が行われる演出操作装置と、
前記扉部材の前面側における前記演出操作装置の側方に設けられ、遊技球を貯留可能な球皿とを備え、
前記球皿は、前記扉部材の前面側における前記演出操作装置の側方に設けられ、遊技球を貯留可能な上球皿と、前記扉部材の前面側における前記演出操作装置の側方且つ前記上球皿の下方に設けられ、前記上球皿から溢れ出た遊技球を貯留可能な下球皿とからなり、
前記下球皿は、前記演出操作装置に隣接して遊技球を貯留可能な球皿部と、前記球皿部の前部における前記演出操作装置に近い側の一部に繋がって形成され、前記球皿部の前記一部から前記演出操作装置に沿って前方に延びる延長皿部とを有しており、
前記扉部材における前記上球皿と前記下球皿との間に設けられ、前記上球皿に貯留された遊技球を前記下球皿に導くことが可能な球抜き通路部を備え、
前記球抜き通路部の下流端部に、前記下球皿の前記延長皿部に向けて開口した球抜き出口部が形成されることを特徴とする弾球遊技機。
【請求項２】
前記上球皿から溢れ出た遊技球が前記下球皿に向けて流下する下球皿通路部を備え、
前記下球皿通路部の下流端部に、前記下球皿の前記延長皿部に向けて開口した出口通路部が形成されることを特徴とする請求項１に記載の弾球遊技機。
【請求項３】
前記扉部材を前記枠部材に対して横開き開閉可能に取り付ける開閉機構を備え、
前記演出操作装置は、前記扉部材の前面側における前記窓部の下方中央部に設けられ、
前記上球皿は、前記扉部材の前面側における前記開閉機構に近い側の前記演出操作装置の側方に設けられ、
前記下球皿は、前記扉部材の前面側における前記開閉機構に近い側の前記演出操作装置の側方且つ前記上球皿の下方に設けられることを特徴とする請求項１または２に記載の弾球遊技機。
【発明の詳細な説明】
【技術分野】
【０００１】
本発明は、ぱちんこ遊技機等の弾球遊技機に関する。
【背景技術】
【０００２】
ぱちんこ遊技機に代表される弾球遊技機は、遊技球による遊技を行う遊技領域が設けられた遊技盤を保持する枠部材に、払出装置および各種制御基板が装着された裏機構盤が取り付けられて構成される。そして、発射機構により遊技領域の上側に打ち出した遊技球を落下させる過程で、遊技領域内に設けた各種の入賞装置に入賞させる遊技が行われる。枠部材の下部前面側には遊技球を貯留するための上球皿が設けられ、上球皿に貯留された遊技球が整流器により１球ずつ発射機構に送られる。また、枠部材における上球皿の下方には遊技球を貯留可能な下球皿が設けられ、球抜き手段を用いて上球皿に貯留された遊技球を下球皿に抜き出すことができるようになっている（例えば、特許文献１を参照）。
【先行技術文献】
【特許文献】
【０００３】
【特許文献１】特開２０１２−２００５４８号公報
【発明の概要】
【発明が解決しようとする課題】
【０００４】
また、弾球遊技機には、遊技の演出に関する操作が行われる演出操作装置を備えたものがある。近年、遊技者が演出操作装置に対して強い力で操作できるように、演出操作装置の強度を確保する要望があった。
【０００５】
本発明は、このような課題に鑑みてなされたものであり、演出操作装置の強度を高めた弾球遊技機を提供することを目的とする。
【課題を解決するための手段】
【０００６】
このような目的達成のため、本発明に係る弾球遊技機は、前面側に遊技球を用いた遊技を行う遊技領域が設けられた遊技盤と、前記遊技盤を保持する枠部材と、前記枠部材の前面側を覆って取り付けられ、前記枠部材に保持された前記遊技盤の前記遊技領域を前方から視認可能な窓部を有する扉部材と、前記扉部材の前面側における前記窓部の下方に設けられ、遊技の演出に関する操作が行われる演出操作装置と、前記扉部材の前面側における前記演出操作装置の側方に設けられ、遊技球を貯留可能な球皿とを備え、前記球皿は、前記扉部材の前面側における前記演出操作装置の側方に設けられ、遊技球を貯留可能な上球皿と、前記扉部材の前面側における前記演出操作装置の側方且つ前記上球皿の下方に設けられ、前記上球皿から溢れ出た遊技球を貯留可能な下球皿とからなり、前記下球皿は、前記演出操作装置に隣接して遊技球を貯留可能な球皿部と、前記球皿部の前部における前記演出操作装置に近い側の一部に繋がって形成され、前記球皿部の前記一部から前記演出操作装置に沿って前方に延びる延長皿部とを有しており、前記扉部材における前記上球皿と前記下球皿との間に設けられ、前記上球皿に貯留された遊技球を前記下球皿に導くことが可能な球抜き通路部を備え、前記球抜き通路部の下流端部に、前記下球皿の前記延長皿部に向けて開口した球抜き出口部が形成される。
【発明の効果】
【０００７】
本発明によれば、演出操作装置の強度を高くすることができる。
【図面の簡単な説明】
【０００８】
【図１】ぱちんこ遊技機からガラス枠を取り外した状態を示す正面図である。
【図２】ガラス枠を前方から見た斜視図である。
【図３】ぱちんこ遊技機の背面図である。
【図４】前枠の正面図である。
【図５】前枠の背面図である。
【図６】前枠における枠部材側コネクタ部の近傍を示す平断面図である。
【図７】枠部材側コネクタ部の分解斜視図である。
【図８】前枠を前方から見た斜視図である。
【図９】（ａ）は賞球アース部材の斜視図であり、（ｂ）は賞球アース部材の正面図である。
【図１０】遊技盤における遊技盤側コネクタ部の近傍を示す斜視図である。
【図１１】遊技盤側コネクタ部の分解斜視図である。
【図１２】遊技盤における遊技盤側コネクタ部の近傍を示す平断面図である。
【図１３】遊技盤が前枠に対して取り付けられる途中の状態を示す平断面図である。
【図１４】（ａ）は遊技盤が前枠に対して揺動している状態を示す平断面図であり、（ｂ）は遊技盤が前枠に対して取り付けられた状態を示す平断面図である
【図１５】遊技盤が前枠に対して取り付けられた状態を示す拡大平断面図である。
【図１６】球皿ユニットがガラス枠の下部フレームに取り付けられた状態を示す斜視図である。
【図１７】球皿ユニットにおける下球皿の近傍を示す平断面図である。
【図１８】球皿ユニットを前方から見た斜視図である。
【図１９】球皿ユニットの背面図である。
【図２０】球皿ユニットを後方から見た斜視図である。
【図２１】ガラス枠を後方から見た斜視図である。
【図２２】前枠における遊技補助盤の近傍を示す拡大正面図である。
【図２３】前枠における遊技補助盤の近傍を示す平断面図である。
【図２４】各部を施錠保持した状態の施錠装置を示す正面図である。
【図２５】各部を施錠保持した状態の施錠装置を示す背面図である。
【図２６】各部の施錠を解除した状態の施錠装置を示す正面図である。
【図２７】各部の施錠を解除した状態の施錠装置を示す背面図である。
【図２８】ガラス枠における下部フレームの近傍を示す背面図である。
【発明を実施するための形態】
【０００９】
以下、本発明の好ましい実施形態について図面を参照して説明する。本実施形態に係る弾球遊技機としてぱちんこ遊技機ＰＭを図１〜図３に示しており、まず、この図を参照してぱちんこ遊技機ＰＭの全体構成について説明する。本実施形態において、図２の各矢印で示す方向をそれぞれ、上下方向、前後方向、左右方向として説明する。
【００１０】
［ぱちんこ遊技機の全体構成］
始めに、ぱちんこ遊技機ＰＭの前面側の基本構造を説明する。ぱちんこ遊技機ＰＭは、図１に示すように、外郭方形枠サイズに構成された縦向きの固定保持枠をなす外枠１と、これに合わせた方形枠サイズに構成されて開閉搭載枠をなす前枠２とを主体に構成される。前枠２は、外枠１および前枠２の左側縁部に配設された上下のヒンジ機構３ａ，３ｂにより、外枠１の前側開口部に対して横開き開閉および着脱が可能に取り付けられる。また、前枠２は、右側縁部に設けられたダブル錠と称される施錠装置３００を利用して、常には外枠１と係合連結された閉鎖状態に保持される。
【００１１】
前枠２の前面側には、図２に示すように、この前枠２の上部前面域に合わせた方形状のガラス枠５が上下のヒンジ機構３ａ，３ｂを利用して横開き開閉および着脱可能に組み付けられる。ガラス枠５は、上述の施錠装置３００を利用して、常には前枠２の前面を覆う閉鎖状態に保持される。図１に示すように、前枠２の上側に設けられた収容枠１００に遊技盤１０が着脱可能にセット保持され、常には閉鎖保持されるガラス枠５の複層ガラス５ａを通して、遊技盤１０の前面に設けられた遊技領域ＰＡを視認可能に臨ませるようになっている。
【００１２】
遊技盤１０は、透明の樹脂材料を用いて板状に形成されたベース部材１１の前面側に、
内外のレール部１２，１３により囲まれて略円形状の遊技領域ＰＡが形成されるようになっている。詳細な図示を省略するが、遊技盤１０の遊技領域ＰＡには、多数本の遊技釘とともに、遊技球が入球可能な一般入賞装置、始動入賞装置、大入賞装置等の各種入賞装置（図示せず）、遊技の展開状態に応じて演出を行う演出表示装置、可動装飾装置を備えたセンター飾り（図示せず）等が取り付けられている。また、遊技領域ＰＡの下端部には、遊技球が通過可能なアウト口１８が形成されている。
【００１３】
外レール部１２は、下側が開いた円弧状に形成されており、発射機構２２から発射された遊技球を遊技領域ＰＡへ導くようになっている。内レール部１３は、右側が開いた円弧状に形成されており、遊技盤１０（ベース部材１１）の前面において外レール部１２の左側部分に対し所定間隔を空けるように配設されることで、外レール部１２の左側部分との間に発射通路１５が形成されるようになっている。
【００１４】
図２に示すように、ガラス枠５の下部前面側には、遊技球を貯留する球皿ユニット部２００の上下の球皿（上球皿２１０および下球皿２２０）が設けられる。なお、詳細は後述するが、上球皿２１０および下球皿２２０は、ガラス枠５の左右の中心に対して左側に寄って配置される。これにより、ガラス枠５の下部前面側の中央に、所定の演出操作を行うための演出操作装置２８０が取り付けられる。また、ガラス枠５における演出操作装置２８０の右方には、所定の演出設定操作を行うための演出設定操作スイッチ２９０や、遊技球の貸球操作を行うための球貸し操作スイッチ２９５が取り付けられる。ガラス枠５の上部前面側には、発光ダイオード（ＬＥＤ）やランプ等の電飾装置７や、遊技の展開状態に応じて効果音を発生させるスピーカ８が設けられる。
【００１５】
図１に示すように、前枠２の右下部には、遊技球の発射操作を行う発射ハンドル９が設けられる。前枠２の下部におけるガラス枠５の後側の領域（以降、遊技補助盤２０と称する）には、上球皿２１０に貯留された遊技球を１球ずつ送り出す整流器２１、整流器２１から送り出された遊技球を遊技領域ＰＡに向けて打ち出す発射機構２２、発射機構２２の作動を制御する発射制御基板２３等が設けられる。
【００１６】
続いて、ぱちんこ遊技機ＰＭの後面側の基本構造を説明する。図３に示すように、前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留するタンク部材３３、タンク部材３３から供給される遊技球を流下させる樋部材３４、樋部材３４を流下する遊技球を払い出す賞球払出ユニット３５、賞球払出ユニット３５から払い出された遊技球を上球皿２１０もしくは下球皿２２０に流下させる裏側通路部材３６等が設けられている。また、裏機構盤３０には、遊技盤１０の後側を全体的に覆う遊技盤カバー３９が取り付けられる。
【００１７】
遊技盤１０の後面側には、ぱちんこ遊技機ＰＭの作動を統括的に制御する主制御基板４０（図１１を参照）や、遊技展開に応じた画像表示、効果照明、効果音等の演出全般の制御を行う副制御基板４１（図１１を参照）等が取り付けられている。これに対して、裏機構盤３０の後面側には、遊技球の払い出しに関する制御を行う払出制御基板４２や、遊技施設側から受電して各種制御基板や電気・電子部品に電力を供給する電源基板４３等が取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿２１０に遊技球を貯留させて発射ハンドル９を回動操作することにより遊技が開始される。発射ハンドル９が回動
操作されると、上球皿２１０に貯留された遊技球が、整流器２１によって１球ずつ発射機構２２に送り出され、発射機構２２により遊技領域ＰＡに打ち出されて、以降パチンコゲームが展開される。
【００１９】
［収容枠の構成］
次に、図４〜図１５を追加参照して、前枠２の上側に設けられた収容枠１００の詳細について説明する。収容枠１００は、図４および図８に示すように、前枠２の上部にから中央に掛けて形成される。収容枠１００の左辺部上側には、遊技盤１０の左上部前面側を支持する上部揺動支持部１０１が形成される。上部揺動支持部１０１は、収容枠１００の内側（右方）に突出する板状に形成される。収容枠１００の左辺部下側には、遊技盤１０の左下部前面側を支持する第１下部揺動支持部１０３が形成される。第１下部揺動支持部１０３は、上部揺動支持部１０１と同様に、収容枠１００の内側（右方）に突出する板状に形成される。収容枠１００の下辺部左端には、遊技盤１０の左下部底面側を支持する第２下部揺動支持部１０４が形成される。第２下部揺動支持部１０４は、遊技盤１０の左下部底面側が摺動可能な平板状に形成される。上部揺動支持部１０１、第１下部揺動支持部１０３、および第２下部揺動支持部１０４は、収容枠１００に対して遊技盤１０を着脱可能な着脱位置（図１３を参照）と、遊技盤１０が収容枠１００に保持される保持位置（図１４（ｂ）を参照）との間で、遊技盤１０を揺動可能に支持する。
【００２０】
収容枠１００の下辺部左側には、遊技盤１０を揺動させ易くするためのガイドリブ１０５が形成される。ガイドリブ１０５は、第２下部揺動支持部１０４の右側に隣接して形成される。収容枠１００の下辺部中央には、遊技盤１０の中央下部底面側を支持する下側支持部１０７が形成される。また、収容枠１００の左辺部上側における上部揺動支持部１０１の後方に、上部押さえ部材１１１が取り付けられる。上部押さえ部材１１１は、板バネ等の弾性力を有する金属板材を用いて形成され、遊技盤１０の左上部後面側を前方に（上部揺動支持部１０１の方に）押さえるようになっている。また、収容枠１００の左辺部下側における第１下部揺動支持部１０３の後方に、下部押さえ部材１１２が取り付けられる。下部押さえ部材１１２は、上部押さえ部材１１１と同様に形成され、遊技盤１０の左下部後面側を前方に（第１下部揺動支持部１０３の方に）押さえるようになっている。
【００２１】
収容枠１００の上辺部右側には、保持位置に揺動した遊技盤１０の右上部を係脱可能に固定保持する上部ロック機構１２１が設けられる。収容枠１００の下辺部右側には、保持位置に揺動した遊技盤１０の右下部を係脱可能に固定保持する下部ロック機構１２２が設けられる。なお、前枠２における収容枠１００の右上方部分の前面側に、前枠２に対するガラス枠５の開閉を検出する上部開閉センサ１３１が設けられる。また、前枠２における収容枠１００の右下方部分の前面側に、前枠２に対するガラス枠５の開閉を検出する下部開閉センサ１３２が設けられる。
【００２２】
図５および図８に示すように、収容枠１００の上辺部の後側に、裏機構盤３０の上側部分が取り付けられ、収容枠１００の左辺部の後側に、補強板１３５を介して裏機構盤３０の左側部分が取り付けられる。補強板１３５は、金属板材を用いて上下に延びる板状に形成され、補強板１３５の前部が収容枠１００の左辺部の後側に結合されるとともに、補強板１３５の後部が裏機構盤３０の左側部分に結合される。補強板１３５の後部内側には、裏機構盤３０における賞球払出ユニット３５の近傍から延びる賞球アース部材１４０が接触して取り付けられるようになっている。
【００２３】
賞球アース部材１４０は、図８および図９に示すように、金属板材を用いて、裏機構盤３０の左側部分の前側形状に合わせて折れ曲がった板状に形成される。賞球アース部材１４０の後部には、裏機構盤３０における樋部材３４の下部前面側に取り付けられる通路側取付部１４１が形成される。通路側取付部１４１は、ネジ等の固定手段により樋部材３４
の下部前面側に取り付け固定される。通路側取付部１４１には、樋部材３４の下部前面側に設けられたアース端子（図示せず）と接触する通路側端子部１４２が上方に延びて形成される。樋部材３４の下部前面側に露出して設けられたアース端子は、詳細な図示を省略するが、樋部材３４の内部通路に設けられたアース板（図示せず）や、賞球払出ユニット３５に内蔵された駆動モーター（図示せず）等と電気的に接続される。
【００２４】
賞球アース部材１４０の前部には、裏機構盤３０の左側部分の前縁部に取り付けられる補強板側取付部１４３が形成される。補強板側取付部１４３は、ネジ等の固定手段により裏機構盤３０の左側部分の前縁部に取り付け固定される。補強板側取付部１４３には、補強板１３５と接触する補強板側端子部１４４が前方に延びて形成される。これにより、賞球アース部材１４０は、樋部材３４の下部前面側に設けられたアース端子（図示せず）と補強板１３５とに電気的に接続され、樋部材３４の下部前面側に設けられたアース端子は、賞球アース部材１４０および補強板１３５を介して、ぱちんこ遊技機ＰＭの外部に接地される。また、賞球アース部材１４０は、裏機構盤３０の左側部分の前側形状に合わせて折れ曲がった板状に形成されるため、遊技盤１０の揺動時等において遊技盤１０に当接することなく、樋部材３４の内部通路に設けられたアース板（図示せず）や、賞球払出ユニット３５に内蔵された駆動モーター（図示せず）等の接地を、確実に行うことができる。
【００２５】
収容枠１００の下辺部（遊技補助盤２０）の後側に、前側通路カバー１３６を介して裏機構盤３０の下側部分が取り付けられる。遊技補助盤２０の後側に位置する前側通路カバー１３６の前部に、遊技領域ＰＡを転動流下して遊技盤１０の後面側に排出された遊技球を、裏機構盤３０の下側部分に形成された球排出口（図示せず）に向けて流下させる遊技球排出通路１３７が形成される。また、前側通路カバー１３６の右上部にコネクタ取付部１３８が後方に突出して形成され、このコネクタ取付部１３８に、前枠２側に設けられた電気部品（例えば、ガラス枠５の電飾装置７およびスピーカ８や、裏機構盤３０の払出制御基板４２および電源基板４３等）と電気的に接続された枠部材側コネクタ部１５０が取り付けられる。
【００２６】
枠部材側コネクタ部１５０は、図６および図７に示すように、主基板用枠部材側コネクタ１５１と、第１副基板用枠部材側コネクタ１５３と、第２副基板用枠部材側コネクタ１５５と、コネクタ保持部材１６１と、ケーブルカバー１７１と、シールドカバー１８１とを有して構成される。なお、図５において、ケーブルカバー１７１およびシールドカバー１８１の図示を省略している。
【００２７】
主基板用枠部材側コネクタ１５１は、主基板用枠部材側ケーブル１５２の一端に設けられ、前枠２側に設けられた主制御基板４０に関わる電気部品（例えば、裏機構盤３０の払出制御基板４２および電源基板４３等）と電気的に接続される。第１副基板用枠部材側コネクタ１５３は、第１副基板用枠部材側ケーブル１５４の一端に設けられ、前枠２側に設けられた副制御基板４１に関わる電気部品（例えば、裏機構盤３０の電源基板４３等）と電気的に接続される。第２副基板用枠部材側コネクタ１５５は、第２副基板用枠部材側ケーブル１５６の一端に設けられ、前枠２側に設けられた副制御基板４１に関わる電気部品（例えば、ガラス枠５の電飾装置７およびスピーカ８等）と電気的に接続される。
【００２８】
コネクタ保持部材１６１は、図７に示すように、樹脂材料を用いて、前方が開口した矩形容器状に形成される。コネクタ保持部材１６１の左側には、主基板用枠部材側コネクタ１５１を保持する主基板用コネクタ保持部１６２が形成される。主基板用コネクタ保持部１６２は、前枠２の左右の延在方向に対して傾斜するように形成されており、主基板用枠部材側コネクタ１５１が前枠２の左右の延在方向に対し傾斜して取り付けられるようになっている。なお、主基板用枠部材側コネクタ１５１は、ネジ等の固定手段（図示せず）を用いて、主基板用コネクタ保持部１６２の前面側に取り付け保持される。また、主基板用
コネクタ保持部１６２には、主基板用枠部材側ケーブル１５２が前後に挿通される主基板用ケーブル挿通部１６３が形成される。
【００２９】
コネクタ保持部材１６１の右側には、第１副基板用枠部材側コネクタ１５３および第２副基板用枠部材側コネクタ１５５を保持する副基板用コネクタ保持部１６４が形成される。副基板用コネクタ保持部１６４は、主基板用コネクタ保持部１６２と略平行に段差状に傾斜して形成されており、第１副基板用枠部材側コネクタ１５３および第２副基板用枠部材側コネクタ１５５が前枠２の左右の延在方向に対し傾斜するとともに、主基板用枠部材側コネクタ１５１と（前枠２の左右の延在方向に沿って）略平行に並んで取り付けられるようになっている。なお、第１副基板用枠部材側コネクタ１５３および第２副基板用枠部材側コネクタ１５５は、ネジ等の固定手段（図示せず）を用いて、副基板用コネクタ保持部１６４の前面側に傾斜方向に沿って並ぶように取り付け保持される。また、副基板用コネクタ保持部１６４には、第１副基板用枠部材側ケーブル１５４が前後に挿通される第１副基板用ケーブル挿通部１６５が形成される。また、副基板用コネクタ保持部１６４には、第２副基板用枠部材側ケーブル１５６が前後に挿通される第２副基板用ケーブル挿通部１６６が形成される。
【００３０】
コネクタ保持部材１６１の後側には、コネクタ保持部材１６１をケーブルカバー１７１およびシールドカバー１８１に取り付けるための部材取付ボス１６７が複数形成される。部材取付ボス１６７には、コネクタ保持部材１６１を取り付けるための部材取付ネジ（図示せず）がネジ固定される。これにより、コネクタ保持部材１６１は、主基板用枠部材側コネクタ１５１、第１副基板用枠部材側コネクタ１５３、および第２副基板用枠部材側コネクタ１５５を保持してケーブルカバー１７１およびシールドカバー１８１に取り付けられる。
【００３１】
ケーブルカバー１７１は、図７に示すように、樹脂材料を用いて、コネクタ保持部材１６１の外周形状に合わせた矩形容器状に形成され、コネクタ保持部材１６１の後側を全体的に覆うようになっている。ケーブルカバー１７１の下端部には、ケーブルカバー１７１に覆われた主基板用枠部材側ケーブル１５２、第１副基板用枠部材側ケーブル１５４、および第２副基板用枠部材側ケーブル１５６が上下に挿通されるケーブル挿通部１７２が形成される。ケーブルカバー１７１の後面側には、シールドカバー１８１と重なって接合される平面状のカバー接合部１７３が形成される。カバー接合部１７３には、シールドカバー１８１の係合穴１８４と係合可能な係合突起１７４が上下に２つ形成される。また、カバー接合部１７３には、前述の部材取付ネジ（図示せず）が挿通されるネジ挿通孔１７５がコネクタ保持部材１６１の部材取付ボス１６７と位置整合して形成される。
【００３２】
シールドカバー１８１は、金属板材を用いて、右側部分が前方に折れ曲がった板状に形成される。シールドカバー１８１の右側部には、前側通路カバー１３６のコネクタ取付部１３８と重なって接合可能な傾斜接合部１８２が形成される。シールドカバー１８１の後部には、ケーブルカバー１７１のカバー接合部１７３と重なって接合可能な後側接合部１８３が形成される。後側接合部１８３には、ケーブルカバー１７１の係合突起１７４と係合可能な係合穴１８４が上下に２つ形成される。また、後側接合部１８３には、前述の部材取付ネジ（図示せず）が挿通されるネジ挿通孔１８５がコネクタ保持部材１６１の部材取付ボス１６７と位置整合して形成される。
【００３３】
係合突起１７４と係合穴１８４とが係合して、ケーブルカバー１７１のカバー接合部１７３とシールドカバー１８１の後側接合部１８３とが重なって接合した状態で、前述の部材取付ネジ（図示せず）が各ネジ挿通孔１７５，１８５に挿通されてコネクタ保持部材１６１の部材取付ボス１６７にネジ固定される。これにより、コネクタ保持部材１６１がケーブルカバー１７１およびシールドカバー１８１に取り付けられ、コネクタ保持部材１６
１の後方がシールドカバー１８１に覆われるようになっている。
【００３４】
傾斜接合部１８２の前端部には、コネクタ取付部１３８に形成された固定穴部１３９に固定されるカバー固定片１８６が形成される。前側通路カバー１３６のコネクタ取付部１３８とシールドカバー１８１の傾斜接合部１８２とが重なって接合した状態で、ネジ等の固定手段（図示せず）により、シールドカバー１８１のカバー固定片１８６がコネクタ取付部１３８の固定穴部１３９にネジ固定される。これにより、シールドカバー１８１は、主基板用枠部材側コネクタ１５１、第１副基板用枠部材側コネクタ１５３、および第２副基板用枠部材側コネクタ１５５とともに、コネクタ保持部材１６１およびケーブルカバー１７１を保持して、コネクタ取付部１３８に着脱可能に取り付けられる。このようにして、主基板用枠部材側コネクタ１５１、第１副基板用枠部材側コネクタ１５３、および第２副基板用枠部材側コネクタ１５５は、コネクタ保持部材１６１、ケーブルカバー１７１、およびシールドカバー１８１を介して、前枠２の左右の延在方向に対し傾斜して前枠２の後側に着脱可能に取り付けられる。
【００３５】
収容枠１００にセット保持される遊技盤１０（ベース部材１１）の後面側には、図１０および図１１に示すように遊技盤ブラケット５０が取り付けられる。遊技盤ブラケット５０は、樹脂材料を用いて、平断面視「コ」の字形の台形状に形成される。遊技盤ブラケット５０の後部左側に基板取付部５１が形成され、この基板取付部５１に、各基板ケース（図示せず）に収容された主制御基板４０および副制御基板４１が重なって取り付けられる。遊技盤ブラケット５０の後部右側にコネクタ取付部５２が形成され、このコネクタ取付部５２に、遊技盤１０側に設けられた電気部品（主制御基板４０および副制御基板４１）と電気的に接続された遊技盤側コネクタ部６０が取り付けられる。遊技盤側コネクタ部６０は、図１１に示すように、主基板用コネクタ基板６１と、副基板用コネクタ基板７１と、基板保持部材８１と、コネクタカバー９１とを有して構成される。
【００３６】
主基板用コネクタ基板６１は、主基板用プリント基板６２と、主基板用遊技盤側コネクタ６４と、主基板接続コネクタ６５とを有して構成される。主基板用プリント基板６２の実装面には、主基板用遊技盤側コネクタ６４と主基板接続コネクタ６５とが左右に並んで配設される。主基板用プリント基板６２には、基板固定ネジ（図示せず）が挿通される基板固定穴６３が複数形成される。主基板接続コネクタ６５は、主基板用コネクタ基板６１（主基板用プリント基板６２）の左側に配置される。主基板接続コネクタ６５は、主基板接続ケーブル６８を介して、主制御基板４０の右側に配設された右側コネクタ４０ａと電気的に接続される。これにより、主基板用コネクタ基板６１が主制御基板４０と電気的に接続される。主基板用遊技盤側コネクタ６４は、主基板用コネクタ基板６１の右側に配置され、主制御基板４０と電気的に接続されるように構成される。主基板用遊技盤側コネクタ６４は、遊技盤１０が前述の保持位置に揺動すると、枠部材側コネクタ部１５０の主基板用枠部材側コネクタ１５１と嵌合して電気的に接続されるようになっている。
【００３７】
副基板用コネクタ基板７１は、副基板用プリント基板７２と、第１副基板用遊技盤側コネクタ７４と、第２副基板用遊技盤側コネクタ７５と、第１副基板接続コネクタ７６と、第２副基板接続コネクタ７７とを有して構成される。副基板用プリント基板７２の実装面には、下部において第１副基板用遊技盤側コネクタ７４と第２副基板用遊技盤側コネクタ７５とが左右に並んで配設され、上部において第１副基板接続コネクタ７６と第２副基板接続コネクタ７７とが上下に並んで配設される。副基板用プリント基板７２には、基板固定ネジ（図示せず）が挿通される基板固定穴７３が複数形成される。
【００３８】
第１副基板接続コネクタ７６は、副基板用コネクタ基板７１（副基板用プリント基板７２）の上部において第２副基板接続コネクタ７７の下側に配置される。第２副基板接続コネクタ７７は、副基板用コネクタ基板７１の上部において第１副基板接続コネクタ７６の
上側に配置される。第１副基板接続コネクタ７６は、第１副基板接続ケーブル（図示せず）を介して、副制御基板４１の上側に配設された第１上側コネクタ４１ａと電気的に接続される。第２副基板接続コネクタ７７は、第２副基板接続ケーブル（図示せず）を介して、副制御基板４１の上側に配設された第２上側コネクタ４１ｂと電気的に接続される。これにより、副基板用コネクタ基板７１が副制御基板４１と電気的に接続される。
【００３９】
第１副基板用遊技盤側コネクタ７４は、副基板用コネクタ基板７１（副基板用プリント基板７２）の下部左側に配置され、副制御基板４１と電気的に接続されるように構成される。第１副基板用遊技盤側コネクタ７４は、遊技盤１０が前述の保持位置に揺動すると、枠部材側コネクタ部１５０の第１副基板用枠部材側コネクタ１５３と嵌合して電気的に接続されるようになっている。第２副基板用遊技盤側コネクタ７５は、副基板用コネクタ基板７１の下部右側に配置され、副制御基板４１と電気的に接続されるように構成される。第２副基板用遊技盤側コネクタ７５は、遊技盤１０が前述の保持位置に揺動すると、枠部材側コネクタ部１５０の第２副基板用枠部材側コネクタ１５５と嵌合して電気的に接続されるようになっている。
【００４０】
基板保持部材８１は、樹脂材料を用いて台形状に形成され、遊技盤ブラケット５０のコネクタ取付部５２に取り付けられる。基板保持部材８１の左側下部には、主基板用コネクタ基板６１を保持する主基板用基板保持部８２が形成される。主基板用基板保持部８２は、遊技盤１０の左右の延在方向に対して傾斜するように形成されており、主基板用コネクタ基板６１（すなわち、主基板用遊技盤側コネクタ６４）が遊技盤１０の左右の延在方向に対し傾斜して取り付けられるようになっている。
【００４１】
なお、主基板用基板保持部８２には、基板取付けボス８３が主基板用コネクタ基板６１の基板固定穴６３と位置整合して形成される。また、主基板用基板保持部８２の左隅部には、主基板用プリント基板６２の左隅部に係止可能な基板係止部８４が形成される。主基板用プリント基板６２の左隅部に主基板用基板保持部８２の基板係止部８４が係止した状態で、前述の基板固定ネジ（図示せず）が基板固定穴６３に挿通されて主基板用基板保持部８２の基板取付けボス８３にネジ固定される。これにより、主基板用コネクタ基板６１が主基板用基板保持部８２の後面側に取り付け保持される。
【００４２】
基板保持部材８１の右側には、副基板用コネクタ基板７１を保持する副基板用基板保持部８５が形成される。副基板用基板保持部８５は、主基板用基板保持部８２と略平行に段差状に傾斜して形成されており、副基板用コネクタ基板７１（すなわち、第１副基板用遊技盤側コネクタ７４および第２副基板用遊技盤側コネクタ７５）が遊技盤１０の左右の延在方向に対し傾斜するとともに、主基板用コネクタ基板６１（すなわち、主基板用遊技盤側コネクタ６４）と（遊技盤１０の左右の延在方向に沿って）略平行に並んで取り付けられるようになっている。
【００４３】
なお、副基板用基板保持部８５には、基板取付けボス８６が副基板用コネクタ基板７１の基板固定穴７３と位置整合して形成される。また、副基板用基板保持部８５の左隅部には、副基板用プリント基板７２の左隅部に係止可能な基板係止部８７が形成される。副基板用プリント基板７２の左隅部に副基板用基板保持部８５の基板係止部８７が係止した状態で、前述の基板固定ネジ（図示せず）が基板固定穴７３に挿通されて副基板用基板保持部８５の基板取付けボス８６にネジ固定される。これにより、副基板用コネクタ基板７１が副基板用基板保持部８５の後面側に取り付け保持され、第１副基板用遊技盤側コネクタ７４および第２副基板用遊技盤側コネクタ７５は、副基板用基板保持部８５の傾斜方向に沿って並ぶように保持される。
【００４４】
また、基板保持部材８１は、ネジ等の固定手段（図示せず）により、遊技盤ブラケット
５０のコネクタ取付部５２にネジ固定される。これにより、基板保持部材８１は、主基板用コネクタ基板６１および副基板用コネクタ基板７１を保持して、遊技盤ブラケット５０のコネクタ取付部５２に着脱可能に取り付けられる。このようにして、主基板用コネクタ基板６１と副基板用コネクタ基板７１とは、基板保持部材８１を介して、遊技盤１０の左右の延在方向に対し傾斜するとともに、（遊技盤１０の左右の延在方向に沿って）略平行に並んで遊技盤１０の後側に着脱可能に取り付けられる。
【００４５】
主基板用枠部材側コネクタ１５１と主基板用遊技盤側コネクタ６４とは、図１３および図１５に示すように、遊技盤１０が前述の保持位置に揺動した状態で、遊技盤１０の揺動軸Ａｚと主基板用枠部材側コネクタ１５１（または、第１副基板用枠部材側コネクタ１５３、第２副基板用枠部材側コネクタ１５５）とを通る平面（以下、説明のためコネクタ配置平面Ｓｚと称する）に対し、略垂直な方向を向いて対向するように配置される。また、第１副基板用枠部材側コネクタ１５３および第２副基板用枠部材側コネクタ１５５と第１副基板用遊技盤側コネクタ７４および第２副基板用遊技盤側コネクタ７５とは、遊技盤１０が前述の保持位置に揺動した状態で、コネクタ配置平面Ｓｚに対し略垂直な方向を向いて対向するように配置される。
【００４６】
ここで、遊技盤１０の揺動軸Ａｚは、例えば、遊技盤１０が揺動する際に当接する上部揺動支持部１０１および第１下部揺動支持部１０３の後側の角隅部をそれぞれ通る軸に設定されるが、これに限られるものではない。また、遊技盤１０の揺動軸Ａｚと主基板用枠部材側コネクタ１５１とを通るコネクタ配置平面Ｓｚは、遊技盤１０の揺動軸Ａｚと第１副基板用枠部材側コネクタ１５３とを通る平面であってもよく、遊技盤１０の揺動軸Ａｚと第２副基板用枠部材側コネクタ１５５とを通る平面であってもよい。すなわち、コネクタ配置平面Ｓｚは、遊技盤１０の揺動軸Ａｚと、主基板用枠部材側コネクタ１５１、第１副基板用枠部材側コネクタ１５３、および第２副基板用枠部材側コネクタ１５５のうち、少なくともいずれかを通る平面に設定することができる。
【００４７】
なお、基板保持部材８１の上縁部にフランジ状のカバー取付部８８が形成され、このカバー取付部８８にコネクタカバー９１が取り付けられる。コネクタカバー９１は、透明樹脂材料を用いて蓋状に形成され、基板保持部材８１の後面側に保持された、主基板用コネクタ基板６１の主基板接続コネクタ６５と、副基板用コネクタ基板７１の第１副基板接続コネクタ７６および第２副基板接続コネクタ７７とを覆うように構成される。コネクタカバー９１の左下部には、主基板接続コネクタ６５を覆う主基板用コネクタカバー部９２が形成される。コネクタカバー９１の左上部には、第１副基板接続コネクタ７６および第２副基板接続コネクタ７７を覆う副基板用コネクタカバー部９３が形成される。
【００４８】
以上のように構成される収容枠１００に遊技盤１０を装着するには、まず、遊技盤１０の左側部を、上部揺動支持部１０１および第１下部揺動支持部１０３の後側の空間に右前方から斜めに挿入し、図１３に示すように、遊技盤１０を前述の着脱位置にセットする。次に、図１４（ａ）に示すように、着脱位置にセットした遊技盤１０を後方に向けて揺動させる。そして、図１４（ｂ）に示すように、遊技盤１０を前述の保持位置まで揺動させる。これにより、遊技盤１０の右上部が上部ロック機構１２１に固定保持されるとともに、遊技盤１０の右下部が下部ロック機構１２２に固定保持された状態で、保持位置に揺動した遊技盤１０が収容枠１００にセット保持される。
【００４９】
本実施形態において、主基板用枠部材側コネクタ１５１と主基板用遊技盤側コネクタ６４とは、遊技盤１０が保持位置に揺動した状態で、遊技盤１０の揺動軸Ａｚと主基板用枠部材側コネクタ１５１（または、第１副基板用枠部材側コネクタ１５３、第２副基板用枠部材側コネクタ１５５）とを通るコネクタ配置平面Ｓｚに対し、略垂直な方向を向いて対向するように配置される。これにより、遊技盤１０が保持位置に揺動する際、主基板用遊
技盤側コネクタ６４が主基板用枠部材側コネクタ１５１の（前後方向での）延伸方向に沿って進むため、主基板用遊技盤側コネクタ６４と主基板用枠部材側コネクタ１５１とがスムーズに嵌合する。このようにして、主基板用遊技盤側コネクタ６４と主基板用枠部材側コネクタ１５１との電気的な接続がスムーズに行われ、遊技盤１０側に設けられた主制御基板４０と、前枠２側に設けられた主制御基板４０に関わる電気部品（例えば、裏機構盤３０の払出制御基板４２および電源基板４３等）とが電気的に接続される。
【００５０】
また、第１副基板用枠部材側コネクタ１５３および第２副基板用枠部材側コネクタ１５５と第１副基板用遊技盤側コネクタ７４および第２副基板用遊技盤側コネクタ７５とは、遊技盤１０が保持位置に揺動した状態で、コネクタ配置平面Ｓｚに対し略垂直な方向を向いて対向するように配置される。これにより、遊技盤１０が保持位置に揺動する際、第１副基板用遊技盤側コネクタ７４および第２副基板用遊技盤側コネクタ７５が第１副基板用枠部材側コネクタ１５３および第２副基板用枠部材側コネクタ１５５の（前後方向での）延伸方向に沿って進むため、第１副基板用遊技盤側コネクタ７４および第２副基板用遊技盤側コネクタ７５と第１副基板用枠部材側コネクタ１５３および第２副基板用枠部材側コネクタ１５５とがスムーズに嵌合する。このようにして、第１副基板用遊技盤側コネクタ７４および第２副基板用遊技盤側コネクタ７５と第１副基板用枠部材側コネクタ１５３および第２副基板用枠部材側コネクタ１５５との電気的な接続がスムーズに行われ、遊技盤１０側に設けられた副制御基板４１と、前枠２側に設けられた副制御基板４１に関わる電気部品（例えば、裏機構盤３０の電源基板４３、ガラス枠５の電飾装置７およびスピーカ８等）とが電気的に接続される。
【００５１】
このように、本実施形態によれば、主基板用遊技盤側コネクタ６４と主基板用枠部材側コネクタ１５１との電気的な接続がスムーズに行われ、第１副基板用遊技盤側コネクタ７４および第２副基板用遊技盤側コネクタ７５と第１副基板用枠部材側コネクタ１５３および第２副基板用枠部材側コネクタ１５５との電気的な接続がスムーズに行われるため、遊技盤１０と前枠２との電気的な接続をスムーズに行うことが可能になる。
【００５２】
［球皿ユニット部の構成］
次に、図１６〜図２１を追加参照して、ガラス枠５の下部（複層ガラス５ａの下方）に設けられた球皿ユニット部２００について説明する。球皿ユニット部２００は、図１６および図１８に示すように、上球皿２１０と、下球皿２２０と、球通路部材２４０と、通路切り換え部材２５０と、球押さえ部材２６０とを有して構成され、ガラス枠５の下部に形成された下部フレーム５００の前面側に取り付けられる。上球皿２１０および下球皿２２０は、下部フレーム５００の左右の中心に対して左側に寄って配置される。これにより、図１７に示すように、下部フレーム５００の前面側中央に所定の演出操作を行うための演出操作装置２８０が取り付けられ、演出操作装置２８０の左側方（上下のヒンジ機構３ａ，３ｂに近い側の側方）に上球皿２１０および下球皿２２０が配置される。
【００５３】
演出操作装置２８０は、図２および図１７に示すように、所定の演出操作が行われる演出操作部２８１と、演出操作部２８１が取り付けられる外装部２８２と、外装部２８２の内部に収容された内部機構部２８３とを有して構成される。外装部２８２は、所定の装飾が施されて、下球皿２２０の前端部とほぼ同じ前後方向位置まで前方に膨出するように形成される。内部機構部２８３は、演出操作部２８１を支持するとともに演出操作部２８１の操作に応じた作動を行う。また、内部機構部２８３は、外装部２８２の表示部（透明部）を通じて所定の演出を視認させることも可能である。演出操作装置２８０は、下部フレーム５００の前面側に設けられた操作装置取付部５１０（図１６を参照）に取り付けられる。
【００５４】
操作装置取付部５１０は、図１６に示すように、ベースプレート５１１と、サイドプレ
ート５１２とを有して構成される。ベースプレート５１１は、下部フレーム５００の下端部から前方に延びる平板状に形成される。ベースプレート５１１の上面に、演出操作装置２８０が載置されて取り付けられるようになっている。サイドプレート５１２は、操作装置取付部５１０の左側部を覆うように湾曲した板状に形成される。サイドプレート５１２には、演出操作装置２８０（外装部２８２）を発光させるための電飾基板（図示せず）が取り付けられるリブ状の基板取付部５１３が形成される。基板取付部５１３がリブ状に形成されることで、サイドプレート５１２の強度を高めることができる。
【００５５】
上球皿２１０は、図１６および図１８に示すように、樹脂材料を用いて遊技球を貯留可能な皿状に形成され、下部フレーム５００の前面側における上側出口通路部５０１の前側に取り付けられる。なお、上側出口通路部５０１は、前枠２および裏機構盤３０に形成された賞球払出通路（図示せず）に繋がっており、賞球払出ユニット３５から賞球として払い出された遊技球が賞球払出通路を流下し、上側出口通路部５０１を通過して上球皿２１０に流出するようになっている。上球皿２１０の底部は右下方に傾斜して形成されており、図１９および図２０に示すように、上球皿２１０に貯留された遊技球が上球皿２１０の右側に繋がって形成された球供給通路２０１に流れ込むようになっている。上球皿２１０の右側には、球供給通路２０１の導入部２１１が形成される。この導入部２１１は、正面視（断面視）Ｕ字形に上下に湾曲した通路状に形成され、上球皿２１０の右側に流れ込んだ遊技球を上球皿２１０の下方に導くようになっている。
【００５６】
上球皿２１０の下方には、図１９および図２０に示すように、下部フレーム５００との間に球供給通路２０１の傾斜通路部２１２および上側湾曲部２１３が形成される。傾斜通路部２１２は、左下方に傾斜した通路状に形成され、上流側が球供給通路２０１の導入部２１１に繋がるとともに、下流側が上側湾曲部２１３に繋がるようになっている。傾斜通路部２１２は、上球皿２１０の右側から球供給通路２０１の導入部２１１に導かれた遊技球を上側湾曲部２１３に向けて１列に流下させる。なお、導入部２１１および傾斜通路部２１２の底部には、遊技球に帯電した静電気を除電するためのアース板（図示せず）が取り付けられる。上側湾曲部２１３は、逆Ｌ字形に湾曲した通路状に形成され、上流側が傾斜通路部２１２に繋がるとともに、下流側が球通路部材２４０に形成された鉛直通路部２４１に繋がるようになっている。上側湾曲部２１３は、傾斜通路部２１２の下流端に達した遊技球を略鉛直下方に向けて１列に流下させる。
【００５７】
なお、上球皿２１０の右方に繋がって操作スイッチ取付部２１８が形成され、この操作スイッチ取付部２１８に、前述の演出設定操作スイッチ２９０および球貸し操作スイッチ２９５が取り付けられるようになっている。また、操作スイッチ取付部２１８の右端部後側には、角棒状の下部センサ当接部２１９が後方に突出して形成される。下部センサ当接部２１９は、下部フレーム５００のセンサ用挿通穴部５０５（図２１を参照）に挿通されてガラス枠５の後方に突出するようになっている。これにより、ガラス枠５を前枠２に対して閉鎖状態にすると、下部センサ当接部２１９は、前枠２に設けられた前述の下部開閉センサ１３２に当接し、下部開閉センサ１３２によりガラス枠５の閉鎖状態が検出されるようになっている。
【００５８】
このように、上部開閉センサ１３１に加えて下部開閉センサ１３２が設けられることで、ガラス枠５の不正な変形を確実に検知することができる。なお、図２１に示すように、ガラス枠５の右上部後面側には、突起状の上部センサ当接部５５１が形成される。ガラス枠５を前枠２に対して閉鎖状態にすると、上部センサ当接部５５１は、前枠２に設けられた前述の上部開閉センサ１３１に当接し、上部開閉センサ１３１によりガラス枠５の閉鎖状態が検出されるようになっている。
【００５９】
下球皿２２０は、図１７〜図１８に示すように、樹脂材料を用いて遊技球を貯留可能な
皿状に形成され、下部フレーム５００の前面側における球通路部材２４０の球抜き出口部２４７および下側出口通路部２４８の前側に取り付けられる。下球皿２２０は、上球皿２１０の下方に配置され、上球皿２１０から溢れ出た遊技球または、上球皿２１０から球抜きが行われた遊技球を貯留可能に構成される。
【００６０】
下球皿２２０は、演出操作装置２８０に隣接して遊技球を貯留可能な球皿部２２１と、球皿部２２１の右前部に繋がって形成されて遊技球を貯留可能な延長皿部２２２とを有している。球皿部２２１は、下部フレーム５００の前面に沿って左右方向に延びるように形成される。延長皿部２２２は、球皿部２２１の前部において演出操作装置２８０に近い右前部から、演出操作装置２８０の左側面に沿って前方に延びるように形成される。これにより、下球皿２２０の右側に、前後方向に直線的に延びる右側壁部２２３が形成される。また、下球皿２２０の前側に、右側部分が左側部分よりも前方に突出した前側壁部２２４が形成される。下球皿２２０の底部における右側壁部２２３の近傍には、開閉部材２２６により開閉可能な球排出口２２５が形成される。球皿部２２１の左前部下側には、開閉部材２２６を変位させて球排出口２２５を開閉させるための操作が行われる開閉操作部材２２７が取り付けられる。
【００６１】
球通路部材２４０は、図１８〜図２０に示すように、樹脂材料を用いて左右方向に細長く延びる箱状に形成され、下部フレーム５００の前面側における上球皿２１０の下方に隣接して取り付けられる。球通路部材２４０の右上部には、下部フレーム５００との間に球供給通路２０１の鉛直通路部２４１が形成される。鉛直通路部２４１は、略鉛直方向に延びる通路状に形成され、上端部が上球皿２１０に形成された球供給通路２０１の上側湾曲部２１３に繋がるとともに、下端部が後述の球抜き通路２４６に繋がるようになっている。
【００６２】
図１９〜図２０に示すように、球通路部材２４０の右上部左側には、鉛直通路部２４１の左側部に連通して切り換え部材収容部２４２が形成される。切り換え部材収容部２４２は、下部フレーム５００との間で通路切り換え部材２５０を左右方向にスライド移動自在に収容する。切り換え部材収容部２４２の前壁部左側には、左右方向に延びる長穴状の操作穴（図示せず）が形成される。操作穴には、通路切り換え部材２５０の操作部（図示せず）が挿通されるようになっている。一方、球通路部材２４０の右上部右側には、球押さえ部材収容部２４５が形成される。球押さえ部材収容部２４５は、下部フレーム５００との間で球押さえ部材２６０を左右方向にスライド移動自在に収容する。
【００６３】
球通路部材２４０の下部には、下部フレーム５００との間に球抜き通路２４６が形成される。球抜き通路２４６は、左下方に傾斜した通路状に形成され、鉛直通路部２４１の下端部に繋がるとともに、下流側が球抜き出口部２４７に繋がるようになっている。球抜き出口部２４７は、下球皿２２０の延長皿部２２２に向けて開口するように形成されており、球抜き通路２４６を通過した遊技球を下球皿２２０に流出させる。球通路部材２４０の左下部には、球抜き出口部２４７の左方に近接して下側出口通路部２４８が形成される。下側出口通路部２４８は、上流側が下部フレーム５００（ガラス枠５）の下側ダクト部５０２（図２１を参照）に繋がるとともに、下流側が下球皿２２０の延長皿部２２２に向けて開口するように形成されており、下側ダクト部５０２を通過した遊技球を下球皿２２０に流出させる。なお、下側ダクト部５０２は、前枠２および裏機構盤３０に形成された下球皿通路（図示せず）に繋がっており、上球皿２１０が満杯となって賞球払出通路（図示せず）から溢れ出た遊技球が下球皿通路および下側ダクト部５０２を流下するようになっている。
【００６４】
通路切り換え部材２５０は、図１９〜図２０に示すように、樹脂材料を用いて左右方向に延びる棒状に形成される。通路切り換え部材２５０の胴部には、球通路部材２４０にお
ける切り換え部材収容部２４２の内面に摺接可能な左スライド移動部２５１が形成される。この左スライド移動部２５１が、切り換え部材収容部２４２の内部に左右方向にスライド移動可能に収容される。左スライド移動部２５１の右端部には、球供給通路２０１の鉛直通路部２４１を流下する遊技球を受け止めて後方に導くことが可能な湾曲通路部２５２が形成される。これにより、湾曲通路部２５２は、図１９〜図２０に示すように球供給通路２０１の鉛直通路部２４１を塞ぐ球供給位置と、鉛直通路部２４１から退く球抜き位置とに、左スライド移動部２５１によって左右方向に移動可能に支持される。
【００６５】
このようにして、通路切り換え部材２５０は、球供給通路２０１の鉛直通路部２４１において略鉛直下方に流下する遊技球を、鉛直通路部２４１の後方に位置する発射機構２２（整流器２１）および、鉛直通路部２４１の下方に繋がる球抜き通路２４６のうち、いずれか一方に選択的に切り替えて導くことができる。なお、下部フレーム５００（ガラス枠５）において鉛直通路部２４１の後壁部を形成する部分には、前後に貫通する連通穴部５０３（図２１を参照）が整流器２１の球入口２１ａと重なるように形成されており、この連通穴部５０３を介して鉛直通路部２４１の下流側が整流器２１の球入口２１ａに繋がるようになっている。
【００６６】
また、切り換え部材収容部２４２の内部には、左スライド移動部２５１とともに左コイルバネ（図示せず）が収容されている。左コイルバネは、左スライド移動部２５１に対して、湾曲通路部２５２が球供給位置に移動する方向に付勢力を加えるように構成される。また、左スライド移動部２５１の左前部には、棒状の操作部（図示せず）が前方に突出して形成される。操作部は、球通路部材２４０の操作穴（図示せず）に挿通されて下部フレーム５００の前面側に露出するようになっている。これにより、通常は、左スライド移動部２５１および湾曲通路部２５２が左コイルバネの付勢力を受けて右方に動き、湾曲通路部２５２が球供給位置に移動する。一方、遊技者等が操作部を左方に移動させる操作を行うと、左スライド移動部２５１および湾曲通路部２５２が左コイルバネの付勢力に抗して左方に動き、湾曲通路部２５２が球抜き位置に移動する。
【００６７】
球押さえ部材２６０は、図１９〜図２０に示すように、樹脂材料を用いて左右方向に延びる棒状に形成される。球押さえ部材２６０の胴部には、球通路部材２４０における球押さえ部材収容部２４５の内面に摺接可能な右スライド移動部２６１が形成される。この右スライド移動部２６１が、球押さえ部材収容部２４５の内部に左右方向にスライド移動可能に収容される。右スライド移動部２６１の左端部には、下部フレーム５００（ガラス枠５）の連通穴部５０３（図２１を参照）を塞いで遊技球が連通穴部５０３を通らないようにすることが可能な薄板状の球押さえ部２６２が形成される。これにより、球押さえ部２６２は、下部フレーム５００の連通穴部５０３を塞ぐ閉塞位置と、図１９〜図２０に示すように連通穴部５０３を開く開通位置とに、右スライド移動部２６１によって左右方向に移動可能に支持される。
【００６８】
なお、球押さえ部材収容部２４５の内部には、右スライド移動部２６１とともに右コイルバネ（図示せず）が収容されている。右コイルバネは、右スライド移動部２６１に対して、球押さえ部２６２が閉塞位置に移動する方向に付勢力を加えるように構成される。右スライド移動部２６１の後部には、左側に傾斜面を有するアーム部２６４が後方に突出して形成される。アーム部２６４は、下部フレーム５００（ガラス枠５）のアーム挿通穴部５０４（図２１を参照）に挿通されてガラス枠５の後面側に露出するようになっている。これにより、ガラス枠５を前枠２に対して開放状態にすると、右スライド移動部２６１および球押さえ部２６２が右コイルバネの付勢力を受けて左方に動き、球押さえ部２６２が閉塞位置に移動する。一方、ガラス枠５を前枠２に対して閉鎖状態にすると、アーム部２６４の傾斜面が遊技補助盤２０の一部に当接して右方向にも押圧され、右スライド移動部２６１および球押さえ部２６２が右コイルバネの付勢力に抗して右方に動き、球押さえ部
２６２が開通位置に移動する。
【００６９】
以上のように構成される球皿ユニット部２００において、上球皿２１０に貯留された遊技球は、上球皿２１０の右側に繋がって形成された球供給通路２０１の導入部２１１に流れ込む。球供給通路２０１の導入部２１１に流れ込んだ遊技球は、上球皿２１０の下方に導かれて、球供給通路２０１の傾斜通路部２１２および上側湾曲部２１３を流下し、球通路部材２４０に形成された鉛直通路部２４１に達する。
【００７０】
通常は、通路切り換え部材２５０の左スライド移動部２５１および湾曲通路部２５２が左コイルバネ（図示せず）の付勢力を受けて右方に動き、湾曲通路部２５２が鉛直通路部２４１を塞ぐ球供給位置に移動する。そのため、球通路部材２４０の鉛直通路部２４１に達した遊技球は、鉛直通路部２４１を略鉛直下方に流下して湾曲通路部２５２で受け止められ、湾曲通路部２５２において後方に進路を変えて下部フレーム５００（ガラス枠５）の連通穴部５０３を通過し、整流器２１の球入口２１ａに達する。
【００７１】
ここで、遊技者等が通路切り換え部材２５０の操作部を左方に移動させる操作を行うと、左スライド移動部２５１および湾曲通路部２５２が左コイルバネ（図示せず）の付勢力に抗して左方に動き、湾曲通路部２５２が鉛直通路部２４１から退く球抜き位置に移動する。そのため、球通路部材２４０の鉛直通路部２４１に達した遊技球は、鉛直通路部２４１を略鉛直下方に流下して鉛直通路部２４１の下流端に繋がる球抜き通路２４６の上流端に導かれる。球抜き通路２４６に導かれた遊技球は、球抜き通路２４６を流下して球抜き出口部２４７を通過し、下球皿２２０に流出して貯留される。
【００７２】
本実施形態において、下球皿２２０は、演出操作装置２８０に隣接して遊技球を貯留可能な球皿部２２１と、球皿部２２１の右前部に繋がって形成されて遊技球を貯留可能な延長皿部２２２とを有している。これにより、延長皿部２２２が演出操作装置２８０の左側面に沿って前方に延びるように形成され、下球皿２２０の右側壁部２２３が演出操作装置２８０の左側部の（前後方向の）全体に亘って接触する。そのため、下球皿２２０の右側壁部２２３が補強壁として機能して、演出操作装置２８０の左側部の強度を高めることが可能になり、演出操作装置２８０の強度を高めることができる。また、球抜き出口部２４７および下側出口通路部２４８が、下球皿２２０の延長皿部２２２に向けて開口するように形成されることで、球抜き出口部２４７または下側出口通路部２４８を通過した遊技球が、前方に延びた延長皿部２２２に向けて流出するため、遊技球が下球皿２２０から飛び出すのを防止することができる。
【００７３】
［施錠装置の構成］
次に、図２２〜図２８を追加参照して、施錠装置３００について説明する。施錠装置３００は、図２４〜図２７に示すように、錠前３０１と、枠施錠フック３１０および枠施錠受け具（図示せず）と、枠リンク機構３２０と、扉施錠フック３３０および扉施錠受け具３３５と、扉リンク機構３４０と、球皿施錠フック３５０および球皿施錠受け具３５５と、球皿リンク機構３６０と、ハンドル施錠フック３７０およびハンドル施錠受け具３７５と、ハンドルリンク機構３８０とを有して構成される。
【００７４】
錠前３０１は、錠前３０１の前部に設けられた鍵穴部３０２が前面側に露出するように、前枠２の右下部に取り付けられる。錠前３０１には、一般に「ダブル錠」とも呼ばれている形態の錠が使用されている。この錠はいわゆる解錠操作型の錠であり、解錠操作が行われていない状態において錠の回動軸が中立角度位置に付勢保持されている。錠前３０１に適合する鍵（図示せず）が、前枠２の前面側に露出するように錠前３０１に設けられた鍵穴部３０２に差し込まれると、鍵穴部３０２の回動軸が回動可能な状態に設定され、鍵を右回りまたは左回りの二方向に回動操作することが可能になる。図２５および図２７に
示すように、鍵穴部３０２の回動軸の軸端に解錠盤３０３が固定されている。
【００７５】
解錠盤３０３はカム盤とも称され、薄板板金材料をプレス成形して三つの突出端部、すなわち第１〜第３突出端部３０４ａ〜３０４ｃを有する所定のカム形状に形成されている。第１突出端部３０４ａは、前枠２を解錠させる作動端としての機能を有し、その先端上面が枠リンク機構３２０に設けられた係合穴部（図示せず）と係合可能に設定されている。また、第２突出端部３０４ｂは、ガラス枠５を解錠させる作動端としての機能を有し、その先端下面が扉リンク機構３４０の扉側昇降移動部材３４１に形成された係合穴部（図示せず）と係合可能に設定されている。また、第３突出端部３０４ｃは、ガラス枠５を解錠させる作動端としての機能を有し、その先端に球皿リンク機構３６０の第２水平移動部材３６６の右端部が当接可能に設定されている。
【００７６】
枠施錠フック３１０は、前枠２の右側部後面側の上下に配置され、前枠２の後方へ延びるように形成される。枠施錠フック３１０は、外枠１の右側部内側の上下に配置された枠施錠受け具（図示せず）と係合可能に構成される。枠リンク機構３２０は、詳細な図示を省略するが、上下方向に昇降移動自在な薄板状の枠側昇降移動部材（図示せず）を有して構成される。枠側昇降移動部材の上下に、連結ピン等を用いて枠施錠フック３１０が連結され、枠側昇降移動部材の昇降移動に応じて、枠施錠フック３１０が外枠１の枠施錠受け具に対して係脱可能に構成される。なお、枠側昇降移動部材には、不図示の下降付勢バネが取り付けられる。下降付勢バネ（図示せず）は、引張コイルバネを用いて構成され、枠側昇降移動部材に対して、枠施錠フック３１０が係合可能位置に移動する方向に付勢力を加える。
【００７７】
扉施錠フック３３０は、前枠２の右側部前面側の上下に配置され、前枠２の前方へ延びるように形成される。扉施錠フック３３０は、ガラス枠５の右側部後面側の上下に配置された扉施錠受け具３３５（図２８を参照）と係合可能に構成される。扉リンク機構３４０は、枠側昇降移動部材（図示せず）と略平行に上下方向に昇降移動自在な薄板状の扉側昇降移動部材３４１と、前枠２の右側部内側に固設されて枠側昇降移動部材（図示せず）および扉側昇降移動部材３４１を昇降移動自在に支持する扁平筒状の昇降支持部材３４２とを有して構成される。扉側昇降移動部材３４１の上下に、連結ピン等を用いて扉施錠フック３３０が連結され、扉側昇降移動部材３４１の昇降移動に応じて、扉施錠フック３３０がガラス枠５の扉施錠受け具３３５に対して係脱可能に構成される。
【００７８】
なお、扉側昇降移動部材３４１には、不図示の上昇付勢バネが取り付けられる。上昇付勢バネ（図示せず）は、引張コイルバネを用いて構成され、扉側昇降移動部材３４１に対して、扉施錠フック３３０が上方の係合可能位置に移動する方向に付勢力を加える。また、扉側昇降移動部材３４１の下端部に、連結ピン等を用いて揺動リンクアーム３４４が連結され、扉側昇降移動部材３４１の昇降移動に応じて、揺動リンクアーム３４４がハンドルリンク機構３８０を作動させることができるようになっている。
【００７９】
また、昇降支持部材３４２には、鍵を用いずに、枠側昇降移動部材（図示せず）および扉側昇降移動部材３４１を昇降移動させることが可能な解錠穴部（図示せず）が形成されている。この解錠穴部は、鍵を紛失した等の非常の場合を除く、通常の場合では使用されないため、昇降支持部材３４２に取り付けられた解錠カバー３９０に覆われている。解錠カバー３９０は、図１５の二点鎖線にも示すように、略Ｌ字形に屈曲した板状に形成され、カバー固定ネジ３９１を用いて昇降支持部材３４２の後側に取り付け固定される。解錠カバー３９０は、カバー固定ネジ３９１の固定を解除した状態で、昇降支持部材３４２に沿って落下すると、前枠２の右下部内側に設けられた受容空間（図示せず）に受容されるようになっている。これにより、解錠カバー３９０およびカバー固定ネジ３９１の紛失を防止することができる。
【００８０】
球皿施錠フック３５０（図２８を参照）は、ガラス枠５の中央下部後面側（球皿ユニット部２００の後方）に揺動可能に取り付けられ、ガラス枠５の後方へ延びるように形成される。球皿施錠フック３５０は、遊技補助盤２０の中央部における整流器２１の上方に配置された球皿施錠受け具３５５（図２２を参照）と係合可能に構成される。球皿施錠受け具３５５は、金属板材を用いて板状に形成され、遊技補助盤２０の後面側に取り付けられる。球皿施錠受け具３５５の前部中央には、球皿施錠フック３５０を挿通させることが可能な受け入れ穴部３５６が形成される。球皿施錠受け具３５５の後側には、球皿リンク機構３６０の第１水平移動部材３６１を左右方向に水平移動自在に支持する水平支持部３５７が形成される。球皿施錠受け具３５５の前部右側には、左右に延びるガイド穴部３５８が形成される。球皿施錠受け具３５５の下部には、水平付勢バネ３６５の一端が取り付けられる固定側バネ取付部３５９が形成される。
【００８１】
球皿リンク機構３６０は、球皿施錠受け具３５５の水平支持部３５７に支持されて左右方向に水平移動自在な第１水平移動部材３６１と、第１水平移動部材３６１の右端部に連結されて左右方向に水平移動自在な第２水平移動部材３６６と、第２水平移動部材３６６を左右方向に水平移動自在に支持する水平支持部材３６８とを有して構成される。第１水平移動部材３６１の中間部に、球皿施錠フック３５０を進入させることが可能な受け入れ穴部３６２が形成され、第１水平移動部材３６１の水平移動に応じて、球皿施錠フック３５０が遊技補助盤２０の球皿施錠受け具３５５に対して係脱可能に構成される。
【００８２】
第１水平移動部材３６１の前部には、球皿施錠受け具３５５のガイド穴部３５８に係合するガイドピン３６３が取り付けられる。第１水平移動部材３６１の下部には、水平付勢バネ３６５の他端が取り付けられる移動側バネ取付部３６４が形成される。水平付勢バネ３６５は、引張コイルバネを用いて構成され、第１水平移動部材３６１に対して、受け入れ穴部３６２が右方の係合解除位置に移動する方向に付勢力を加える。
【００８３】
水平支持部材３６８は、遊技補助盤２０の後面側における球皿施錠受け具３５５の右方に取り付けられる。水平支持部材３６８の前部には、左右に延びるガイド穴部３６９が形成される。第２水平移動部材３６６は、水平支持部材３６８に、第１水平移動部材３６１と一体的に左右方向に水平移動自在に支持され、第２水平移動部材３６６の右端部が解錠盤３０３の第３突出端部３０４ｃと当接可能に構成される。第２水平移動部材３６６の前部には、水平支持部材３６８のガイド穴部３６９に係合するガイドピン３６７が形成される。
【００８４】
ハンドル施錠フック３７０は、遊技補助盤２０における発射ハンドル９の近傍に配置され、前枠２の前方へ延びるように形成される。ハンドル施錠フック３７０は、ガラス枠５の右下部後面側に配置されハンドル施錠受け具３７５（図２８を参照）と係合可能に構成される。ハンドルリンク機構３８０は、上下方向に揺動自在な第１揺動部材３８１および第２揺動部材３８４と、第１揺動部材３８１および第２揺動部材３８４を揺動自在に支持する揺動支持部材３８７とを有して構成される。第１揺動部材３８１の左端部にハンドル施錠フック３７０が形成され、第１揺動部材３８１の揺動に応じて、ハンドル施錠フック３７０がガラス枠５のハンドル施錠受け具３７５に対して係脱可能に構成される。
【００８５】
第１揺動部材３８１と第２揺動部材３８４とは、左右に並んで揺動支持部材３８７の前面側に取り付けられる。第１揺動部材３８１の右端部には、揺動付勢バネ３８３の一端が取り付けられる揺動側バネ取付部３８２が形成される。第２揺動部材３８４の左端部には、第１揺動部材３８１の右側上面に当接する当接ピン３８５が形成される。第２揺動部材３８４の右端部には、扉リンク機構３４０の揺動リンクアーム３４４が当接するアーム当接部３８６が形成される。
【００８６】
揺動支持部材３８７は、前枠２において発射ハンドル９が取り付けられる部分の後側に取り付けられる。揺動支持部材３８７は、第１揺動軸３８８を介して第１揺動部材３８１を揺動自在に支持し、第２揺動軸３８９を介して第２揺動部材３８４を揺動自在に支持する。なお、揺動支持部材３８７には、揺動付勢バネ３８３の他端が取り付けられる固定側バネ取付部（図示せず）が形成される。揺動付勢バネ３８３は、引張コイルバネを用いて構成され、第１揺動部材３８１に対して、ハンドル施錠フック３７０が下方の係合可能位置に揺動する方向に付勢力を加える。
【００８７】
以上のように構成される施錠装置３００において、扉リンク機構３４０の扉側昇降移動部材３４１は、上昇付勢バネ（図示せず）の付勢力を受けて上方に移動し、扉側昇降移動部材３４１と連結された扉施錠フック３３０は、上方の係合可能位置に移動してガラス枠５の扉施錠受け具３３５に係合する。またこのとき、扉側昇降移動部材３４１と連結された揺動リンクアーム３４４は、ハンドルリンク機構３８０の第２揺動部材３８４の右端部から離れる方向に下方に揺動する。そのため、ハンドルリンク機構３８０の第１揺動部材３８１は、揺動付勢バネ３８３の付勢力を受けて第２揺動部材３８４の左端部を押し上げるように揺動し、第１揺動部材３８１の左端部に形成されたハンドル施錠フック３７０は、下方の係合可能位置に揺動してガラス枠５のハンドル施錠受け具３７５に係合する。
【００８８】
一方、球皿リンク機構３６０は、扉リンク機構３４０に対し独立して作動する。球皿リンク機構３６０の第１水平移動部材３６１および第２水平移動部材３６６は、解錠盤３０３の第３突出端部３０４ｃに押圧された状態で左方に水平移動し、第１水平移動部材３６１に形成された受け入れ穴部３６２は、ガラス枠５の球皿施錠フック３５０が進入可能な左方の係合可能位置に移動して、球皿施錠フック３５０が遊技補助盤２０の球皿施錠受け具３５５に係合する。これにより、図２４〜図２５に示すように、前枠２の扉施錠フック３３０は、ガラス枠５の扉施錠受け具３３５に係合し、前枠２のハンドル施錠フック３７０は、ガラス枠５のハンドル施錠受け具３７５に係合し、ガラス枠５の球皿施錠フック３５０は、遊技補助盤２０の球皿施錠受け具３５５に係合する。このようにして、ガラス枠５は、施錠装置３００を利用して、常には前枠２の前面を覆う閉鎖状態に保持される。本実施形態によれば、扉施錠フック３３０と扉施錠受け具３３５とが係合するのに加え、ハンドル施錠フック３７０とハンドル施錠受け具３７５とが係合し、球皿施錠フック３５０と球皿施錠受け具３５５とが係合するため、ガラス枠５の不正な変形を防止することができる。
【００８９】
この状態で、例えば、前枠前面側から鍵により右回り（時計回り）に解錠操作を行ったときには、解錠盤３０３が右回り（時計回り）に回動され、解錠盤３０３の第２突出端部３０４ｂが下方に揺動し、第３突出端部３０４ｃが上方に揺動する。このとき、扉リンク機構３４０の扉側昇降移動部材３４１は、第２突出端部３０４ｂから受ける駆動力によって、上昇付勢バネ（図示せず）の付勢力に抗して下方に移動し、扉側昇降移動部材３４１と連結された扉施錠フック３３０は、下方の係合解除位置に移動して扉施錠受け具３３５との係合が解除される。またこのとき、扉側昇降移動部材３４１と連結された揺動リンクアーム３４４は、ハンドルリンク機構３８０の第２揺動部材３８４の右端部に当接して押し上げる方向に上方に揺動する。そのため、ハンドルリンク機構３８０の第１揺動部材３８１は、揺動付勢バネ３８３の付勢力に抗して第２揺動部材３８４の左端部に押し下げられるように揺動し、第１揺動部材３８１の左端部に形成されたハンドル施錠フック３７０は、上方の係合解除位置に揺動してハンドル施錠受け具３７５との係合が解除される。
【００９０】
またこのとき、解錠盤３０３の第３突出端部３０４ｃは、球皿リンク機構３６０の第２水平移動部材３６６の右端部から離れる方向に揺動するため、球皿リンク機構３６０の第１水平移動部材３６１および第２水平移動部材３６６は、水平付勢バネ３６５の付勢力（
駆動力）を受けて右方に水平移動し、第１水平移動部材３６１に形成された受け入れ穴部３６２は、右方の係合解除位置に移動して球皿施錠フック３５０を揺動させ、球皿施錠フック３５０と球皿施錠受け具３５５との係合が解除される。なお、球皿施錠フック３５０は、ねじりコイルバネ（図示せず）等により水平付勢バネ３６５よりも小さい付勢力を受けて係合可能位置に揺動するように構成されており、この付勢力に抗して第１水平移動部材３６１の受け入れ穴部３６２に押圧され係合解除位置に揺動することで、球皿施錠受け具３５５との係合が解除される。これにより、図２６〜図２７に示すように、扉施錠フック３３０と扉施錠受け具３３５との係合が解除され、ハンドル施錠フック３７０とハンドル施錠受け具３７５との係合が解除され、球皿施錠フック３５０と球皿施錠受け具３５５との係合が解除される。このようにして、ガラス枠５を前枠２に対して開放させることができる。
【００９１】
なお、前枠２の枠施錠フック３１０は、扉施錠フック３３０の場合と同様にして、外枠１の枠施錠受け具（図示せず）に係合する。そのため、前枠２は、施錠装置３００を利用して、常には外枠１と係合連結された閉鎖状態に保持される。この状態で、前枠前面側から鍵により左回り（反時計回り）に解錠操作を行ったときには、解錠盤３０３が左回り（反時計回り）に回動され、解錠盤３０３の第１突出端部３０４ａが上方に揺動する。このとき、枠リンク機構３２０の枠側昇降移動部材（図示せず）は、第１突出端部３０４ａから受ける駆動力によって、下降付勢バネ（図示せず）の付勢力に抗して上方に移動し、枠側昇降移動部材と連結された枠施錠フック３１０は、係合解除位置に移動して枠施錠受け具との係合が解除される。このようにして、前枠２を外枠１に対して開放させることができる。
【００９２】
［本実施形態における特徴構成］
［コネクタユニットの特徴構成］
本実施形態において、主基板用枠部材側コネクタ１５１と主基板用遊技盤側コネクタ６４とは、遊技盤１０が保持位置に揺動した状態で、遊技盤１０の揺動軸Ａｚと主基板用枠部材側コネクタ１５１（または、第１副基板用枠部材側コネクタ１５３、第２副基板用枠部材側コネクタ１５５）とを通るコネクタ配置平面Ｓｚに対し、略垂直な方向を向いて対向するように配置される。また、第１副基板用枠部材側コネクタ１５３および第２副基板用枠部材側コネクタ１５５と第１副基板用遊技盤側コネクタ７４および第２副基板用遊技盤側コネクタ７５とは、遊技盤１０が保持位置に揺動した状態で、コネクタ配置平面Ｓｚに対し略垂直な方向を向いて対向するように配置される。これにより、前述したように、主基板用遊技盤側コネクタ６４と主基板用枠部材側コネクタ１５１との電気的な接続がスムーズに行われ、第１副基板用遊技盤側コネクタ７４および第２副基板用遊技盤側コネクタ７５と第１副基板用枠部材側コネクタ１５３および第２副基板用枠部材側コネクタ１５５との電気的な接続がスムーズに行われるため、遊技盤１０と前枠２との電気的な接続をスムーズに行うことが可能になる。
【００９３】
また、主基板用枠部材側コネクタ１５１、第１副基板用枠部材側コネクタ１５３、および第２副基板用枠部材側コネクタ１５５は、コネクタ保持部材１６１およびシールドカバー１８１を介して、前枠２の延在方向に対し傾斜して前枠２の後側に着脱可能に取り付けられる。これにより、主基板用枠部材側コネクタ１５１、第１副基板用枠部材側コネクタ１５３、および第２副基板用枠部材側コネクタ１５５が破損等した場合に、容易に交換することができる。また、金属製のシールドカバー１８１を用いることにより、各コネクタがノイズの影響を受けるのを防止することができる。また、金属製のシールドカバー１８１を用いることにより、各枠部材コネクタの取り付け強度を高めることができる。
【００９４】
また、主基板用コネクタ基板６１および副基板用コネクタ基板７１は、遊技盤１０の延在方向に対し傾斜して遊技盤１０の後側に着脱可能に取り付けられる。これにより、主基
板用遊技盤側コネクタ６４、第１副基板用遊技盤側コネクタ７４、および第２副基板用遊技盤側コネクタ７５が破損等した場合に、容易に交換することができる。
【００９５】
また、主基板用コネクタ基板６１と副基板用コネクタ基板７１とは、遊技盤１０の延在方向に対し傾斜するとともに、遊技盤１０の延在方向に沿って略平行に並んで遊技盤１０の後側に着脱可能に取り付けられる。これにより、主基板用遊技盤側コネクタ６４、第１副基板用遊技盤側コネクタ７４、および第２副基板用遊技盤側コネクタ７５の配置間隔を狭くすることができるとともに、主基板用コネクタ基板６１および副基板用コネクタ基板７１を傾斜配置にすることで、主基板用コネクタ基板６１および副基板用コネクタ基板７１の大きさを広く確保することができる。
【００９６】
［球皿ユニット部の特徴構成］
本実施形態において、下球皿２２０は、演出操作装置２８０に隣接して遊技球を貯留可能な球皿部２２１と、球皿部２２１の前部における演出操作装置２８０に近い側の一部（右前部）に繋がって形成され、球皿部２２１の一部から演出操作装置２８０に沿って前方に延びる延長皿部２２２とを有している。これにより、下球皿２２０の右側壁部２２３が演出操作装置２８０の左側部の（前後方向の）全体に亘って接触する。そのため、下球皿２２０の右側壁部２２３が補強壁として機能して、演出操作装置２８０の左側部の強度を高めることが可能になり、演出操作装置２８０の強度を高めることができる。また、延長皿部２２２の分だけ、下球皿２２０の容量を大きくすることができる。
【００９７】
また、球抜き出口部２４７および下側出口通路部２４８が、下球皿２２０の延長皿部２２２に向けて開口するように形成されることで、球抜き出口部２４７または下側出口通路部２４８を通過した遊技球が、前方に延びた延長皿部２２２に向けて流出するため、遊技球が下球皿２２０から飛び出すのを防止することができる。なお、延長皿部２２２もしくは球皿部２２１における延長皿部２２２の近傍に球排出口２２５が形成されることで、球抜き出口部２４７を通過した遊技球が球排出口２２５に向けて流出するため、上球皿２１０から遊技球を抜く際に、ぱちんこ遊技機ＰＭの外部（下球皿２２０の下方）に効率的に排出することが可能である。
【００９８】
また、下球皿２２０は、ガラス枠５の前面側における上下のヒンジ機構３ａ，３ｂに近い側の演出操作装置２８０の側方、且つ、上球皿２１０の下方に設けられる。これにより、上下のヒンジ機構３ａ，３ｂに近い下球皿２２０の左側部分が、延長皿部２２２が形成される右側部分よりも後方に凹んだ形状になる。そのため、ガラス枠５を開放させたとしても、下球皿２２０の左側部分の揺動軌跡の半径は相対的に小さくなるため、下球皿２２０が上下のヒンジ機構３ａ，３ｂの近傍に設置された設置物に当接するのを防止することができる。
【００９９】
［施錠装置の特徴構成］
本実施形態において、施錠装置３００は、ガラス枠５の右側部を閉鎖状態で施錠保持し、錠前３０１に鍵を差し込んで回動させると解錠される扉施錠フック３３０および扉施錠受け具３３５と、鍵の回動に応じた解錠を行うための駆動力を扉施錠フック３３０に伝達する扉リンク機構３４０と、ガラス枠５における球皿ユニット部２００の近傍を閉鎖状態で施錠保持し、錠前に鍵を差し込んで回動させると解錠される球皿施錠フック３５０および球皿施錠受け具３５５と、扉リンク機構３４０に対し独立して設けられ、鍵の回動に応じた解錠を行うための駆動力を球皿施錠フック３５０に伝達する球皿リンク機構３６０とを有している。これにより、ガラス枠５の右側部が施錠保持されるのに加え、ガラス枠５における球皿ユニット部２００の近傍が施錠保持されるため、ガラス枠５の不正な変形を防止することができる。また、球皿リンク機構３６０が扉リンク機構３４０に対し独立して設けられるため、鍵を用いない限り、扉施錠フック３３０および扉施錠受け具３３５に
よる施錠と、球皿施錠フック３５０および球皿施錠受け具３５５による施錠のうち、いずれか一方を不正に解錠したとしても、他方は解錠されないため、ガラス枠５の不正な開放が煩雑となり、ガラス枠５の不正な開放を防止することが可能である。
【０１００】
なお、球皿リンク機構３６０が遊技補助盤２０の後面側に設けられることで、球皿リンク機構がガラス枠５に設けられる場合よりも、球皿リンク機構３６０がぱちんこ遊技機ＰＭの内部側に配置されるため、球皿リンク機構３６０に対する不正なアクセスが困難になり、ガラス枠５の不正な開放を防止することができる。また、球皿リンク機構３６０が扉リンク機構３４０に対し独立して設けられるため、ガラス枠５の製造上の寸法のバラツキ等により、扉施錠フック３３０および扉施錠受け具３３５による施錠と、球皿施錠フック３５０および球皿施錠受け具３５５による施錠のうち、いずれかで施錠の不具合が生じたとしても、容易に調整することが可能である。また、球皿リンク機構３６０が錠前３０１に対してほぼ同じ高さの左側方に設けられることで、球皿リンク機構３６０を水平移動機構のみの簡便な構成にすることができる。
【０１０１】
また、施錠装置３００は、ガラス枠５における発射ハンドル９の近傍を閉鎖状態で施錠保持し、錠前３０１に鍵を差し込んで回動させると解錠されるハンドル施錠フック３７０およびハンドル施錠受け具３７５と、扉リンク機構３４０に連結されて設けられ、鍵の回動に応じた解錠を行うための駆動力を、扉リンク機構３４０を介してハンドル施錠フック３７０に伝達するハンドルリンク機構３８０とを有している。これにより、ガラス枠５の右側部が施錠保持されるのに加え、ガラス枠５における発射ハンドル９の近傍が施錠保持されるため、ガラス枠５の不正な変形を防止することができる。なお、ハンドルリンク機構３８０が前枠２において発射ハンドル９が取り付けられる部分の後側に設けられることで、ハンドルリンク機構３８０に対する不正なアクセスが困難になり、ガラス枠５の不正な開放を防止することができる。
【０１０２】
［変形例］
上述の実施形態において、球皿リンク機構３６０は、扉リンク機構３４０に対し独立して設けられるため、例えば、扉施錠フック３３０および扉施錠受け具３３５における施錠または解錠タイミングに対し、球皿施錠フック３５０および球皿施錠受け具３５５における施錠または解錠タイミングが異なるように、構成されてもよい。具体的には、解錠盤３０３における第２突出端部３０４ｂおよび第３突出端部３０４ｃの形状を調整し、球皿リンク機構３６０が、扉施錠フック３３０および扉施錠受け具３３５における解錠の後に、球皿施錠フック３５０および球皿施錠受け具３５５における解錠を行うように構成されてもよい。また同様に、球皿リンク機構３６０が、扉施錠フック３３０および扉施錠受け具３３５における解錠の前に、球皿施錠フック３５０および球皿施錠受け具３５５における解錠を行うように構成されてもよい。
【０１０３】
上述の実施形態において、上球皿２１０および下球皿２２０が設けられているが、これに限られるものではなく、上球皿の機能と下球皿の機能を有する一体型の球皿（図示せず）が設けられるようにしてもよい。なおこの場合、一体型の球皿が、演出操作装置２８０に隣接して遊技球を貯留可能な球皿部（図示せず）と、球皿部の前部における演出操作装置２８０に近い側の一部（右前部）に繋がって形成され、球皿部の一部から演出操作装置２８０に沿って前方に延びる延長皿部（図示せず）とを有することで、上述の実施形態と同様の効果を得ることができる。
【０１０４】
上述の実施形態において、上下のヒンジ機構３ａ，３ｂは、前枠２等の左側縁部に配設されているが、これに限られるものではなく、前枠２等の右側縁部に配設されてもよい。なおこの場合、上述の実施形態の場合と左右対称に、発射ハンドル９および施錠装置３００等が前枠２の左側に設けられ、上球皿２１０および下球皿２２０等がガラス枠５（下部
フレーム５００）の右側に設けられる。またこの場合、上述の実施形態の場合と左右対称に、上部揺動支持部１０１、第１下部揺動支持部１０３、および第２下部揺動支持部１０４等が収容枠１００の右側に設けられ、上部ロック機構１２１および下部ロック機構１２２等が収容枠１００の左側に設けられるようにしてもよい。
【０１０５】
上述の実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。
【符号の説明】
【０１０６】
ＰＭ  ぱちんこ遊技機（弾球遊技機）
ＰＡ  遊技領域
Ａｚ  揺動軸
Ｓｚ  コネクタ配置平面
１  外枠
２  前枠
５  ガラス枠（扉部材）
９  発射ハンドル
１０  遊技盤
２０  遊技補助盤
５０  遊技盤ブラケット
６０  遊技盤側コネクタ部
６１  主基板用コネクタ基板
６４  主基板用遊技盤側コネクタ
７１  副基板用コネクタ基板
７４  第１副基板用遊技盤側コネクタ
７５  第２副基板用遊技盤側コネクタ
８１  基板保持部材
１００  収容枠
１０１  上部揺動支持部
１０３  第１下部揺動支持部
１０４  第２下部揺動支持部
１０７  下側支持部
１５０  枠部材側コネクタ部
１５１  主基板用枠部材側コネクタ
１５３  第１副基板用枠部材側コネクタ
１５５  第２副基板用枠部材側コネクタ
１６１  コネクタ保持部材
１７１  ケーブルカバー
１８１  シールドカバー
２００  球皿ユニット部
２１０  上球皿
２２０  下球皿
２２１  球皿部
２２２  延長皿部
２８０  演出操作装置
３００  施錠装置
３０１  錠前
３３０  扉施錠フック
３３５  扉施錠受け具
３４０  扉リンク機構
３５０  球皿施錠フック
３５５  球皿施錠受け具
３６０  球皿リンク機構
３７０  ハンドル施錠フック
３７５  ハンドル施錠受け具
３８０  ハンドルリンク機構
【図１】
0006354568.tif 000002
【図２】
0006354568.tif 000003
【図３】
0006354568.tif 000004
【図４】
0006354568.tif 000005
【図５】
0006354568.tif 000006
【図６】
0006354568.tif 000007
【図７】
0006354568.tif 000008
【図８】
0006354568.tif 000009
【図９】
0006354568.tif 000010
【図１０】
0006354568.tif 000011
【図１１】
0006354568.tif 000012
【図１２】
0006354568.tif 000013
【図１３】
0006354568.tif 000014
【図１４】
0006354568.tif 000015
【図１５】
0006354568.tif 000016
【図１６】
0006354568.tif 000017
【図１７】
0006354568.tif 000018
【図１８】
0006354568.tif 000019
【図１９】
0006354568.tif 000020
【図２０】
0006354568.tif 000021
【図２１】
0006354568.tif 000022
【図２２】
0006354568.tif 000023
【図２３】
0006354568.tif 000024
【図２４】
0006354568.tif 000025
【図２５】
0006354568.tif 000026
【図２６】
0006354568.tif 000027
【図２７】
0006354568.tif 000028
【図２８】
0006354568.tif 000029